(57)【要約】【課題】  組立作業数や部品種類の削減によりコストダウンを図ること。【解決手段】  サブ配線１１を備えた一対の接続基板１２がレンズホルダ８の両側面に固定され、該各サブ配線１１のランドに一端１５ａを半田付けＰした複数の弾性ワイヤ１５の他端１５ｂがゲルボックスの両側面に接着剤２２により固定され、中継配線１３が制御基板１７上のメイン配線１８に一体成形されると共に、該中継配線１３の先端に取付基板２３が止着されており、該取付基板２３をゲルボックス７の背面７ａに係脱可能に係止し、前記各弾性ワイヤ１５の他端１５ｂと中継配線１３の先端のランドとが半田付けされている。【選択図】        図２
2007213693.tif 000002
【特許請求の範囲】
【請求項１】
ディスクの半径方向に沿って往復移動可能なスライドベース上にアクチュエータを配置
したものであって、該アクチュエータが、前記スライドベース上の所定位置に固定したア
クトベースと、該アクトベース上に固定したゲルボックスと、該ゲルボックスに対向して
アクトベースの上方に配置した対物レンズ付きレンズホルダと、該レンズホルダに取り付
けた複数のコイルに接近してアクトベース上に固定したマグネットとを有し、前記各コイ
ルに接続したフレキシブルプリント配線からなるサブ配線を備えた一対の接続基板が前記
レンズホルダの両側面に固定され、フレキシブルプリント配線からなる中継配線の略コ字
状基端部がゲルボックスの背面から両側面にかけて固定され、前記各サブ配線のランドに
一端を半田付けした複数の弾性ワイヤの他端が前記中継配線の略コ字状基端部のランドに
半田付けされ、前記スライドベース上に制御基板が止着され、該制御基板上のフレキシブ
ルプリント配線からなるメイン配線のランドに前記中継配線の先端のランドが半田付けさ
れており、制御基板からメイン配線、中継配線、各弾性ワイヤ及び各サブ配線を介して前
記各コイルに通電することによりレンズホルダを駆動し、レーザ光を対物レンズを介して
ディスクに投射し、その反射光を受光してディスクに記録されている情報を読み取るよう
した光ピックアップにおいて、前記各弾性ワイヤの他端と前記中継配線の略コ字状基端部
のランドとの半田付けを解消し、前記中継配線の略コ字状基端部に代えて前記各サブ配線
付き接続基板と同一形状のものがゲルボックスの両側面に固定され、その各ゲルボックス
側接続基板のサブ配線に各弾性ワイヤの他端が接着剤により固定され、前記中継配線の先
端のランドとメイン配線のランドとの半田付けを解消し、該中継配線が前記メイン配線に
一体成形されると共に、その中継配線の先端に取付基板が止着され、前記ゲルボックスの
背面から所定間隔をおいてアクトベースから起立板が切り起こされ、そのゲルボックスの
背面上端にフックが一体突設されており、前記取付基板の下端縁をゲルボックスの背面と
起立板との間に挿入すると共に、該取付基板の上端縁をフックに係合させることにより、
その取付基板がゲルボックスの背面に係脱可能に係止され、前記各弾性ワイヤの他端と中
継配線の先端のランドとが半田付けされていることを特徴とする光ピックアップ。
【請求項２】
ディスクの半径方向に沿って往復移動可能なスライドベース上にアクチュエータを配置
したものであって、該アクチュエータが、前記スライドベース上の所定位置に固定したア
クトベースと、該アクトベース上に固定したゲルボックスと、該ゲルボックスに対向して
アクトベースの上方に配置した対物レンズ付きレンズホルダと、該レンズホルダに取り付
けた複数のコイルに接近してアクトベース上に固定したマグネットとを有し、前記各コイ
ルに接続したフレキシブルプリント配線からなるサブ配線を備えた一対の接続基板が前記
レンズホルダの両側面に固定され、該各サブ配線のランドに一端を半田付けした複数の弾
性ワイヤの他端が前記ゲルボックスの両側面に固定され、前記スライドベース上に止着し
た制御基板とゲルボックスとの間にフレキシブルプリント配線からなる中継配線が架線さ
れており、制御基板から中継配線、各弾性ワイヤ及び各サブ配線を介して前記各コイルに
通電することによりレンズホルダを駆動し、レーザ光を対物レンズを介してディスクに投
射し、その反射光を受光してディスクに記録されている情報を読み取るようした光ピック
アップにおいて、前記中継配線が前記制御基板上のフレキシブルプリント配線からなるメ
イン配線に一体成形されると共に、該中継配線の先端に取付基板が止着されており、該取
付基板をゲルボックスの背面に係脱可能に係止し、前記各弾性ワイヤの他端と中継配線の
先端のランドとが半田付けされていることを特徴とする光ピックアップ。
【請求項３】
前記レンズホルダの両側面に固定した一対のサブ配線付き接続基板と同一形状のものが
ゲルボックスの両側面に固定され、その各ゲルボックス側接続基板のサブ配線に各弾性ワ
イヤの他端が接着剤により固定されていることを特徴とする請求項２に記載の光ピックア
ップ。
【請求項４】
前記ゲルボックスの背面から所定間隔をおいてアクトベースから起立板が切り起こされ
、そのゲルボックスの背面上端にフックが一体突設されており、前記取付基板の下端縁を
ゲルボックスの背面と起立板との間に挿入すると共に、該取付基板の上端縁をフックに係
合させることにより、その取付基板がゲルボックスの背面に係脱可能に係止されているこ
とを特徴とする請求項２または３に記載の光ピックアップ。
【請求項５】
前記ゲルボックスの背面に接近してアクトベースに係止孔が貫設されると共に、該係止
孔に対向して取付基板の下端縁に係止片が一体突設され、前記ゲルボックスの背面上端に
フックが一体突設されており、前記係止片を係止孔に嵌入させると共に、取付基板の上端
縁をフックに係合させることにより、その取付基板がゲルボックスの背面に係脱可能に係
止されていることを特徴とする請求項２または３に記載の光ピックアップ。
【請求項６】
ディスクの半径方向に沿って往復移動可能なスライドベース上にアクチュエータを配置
したものであって、該アクチュエータが、前記スライドベース上の所定位置に固定したア
クトベースと、該アクトベース上に固定したゲルボックスと、該ゲルボックスに対向して
アクトベースの上方に配置した対物レンズ付きレンズホルダと、該レンズホルダに取り付
けた複数のコイルに接近してアクトベース上に固定したマグネットとを有し、前記各コイ
ルに接続したフレキシブルプリント配線からなるサブ配線を備えた一対の接続基板が前記
レンズホルダの両側面に固定され、該各サブ配線のランドに一端を半田付けした複数の弾
性ワイヤの他端が前記ゲルボックスの両側面に固定され、前記スライドベース上に止着し
た制御基板とゲルボックスとの間にフレキシブルプリント配線からなる中継配線が架線さ
れており、制御基板から中継配線、各弾性ワイヤ及び各サブ配線を介して前記各コイルに
通電することによりレンズホルダを駆動し、レーザ光を対物レンズを介してディスクに投
射し、その反射光を受光してディスクに記録されている情報を読み取るようした光ピック
アップにおいて、前記中継配線が前記制御基板上のフレキシブルプリント配線からなるメ
イン配線に一体成形されると共に、該中継配線の先端に取付基板が止着され、前記各弾性
ワイヤの他端がゲルボックスの背面よりも突出され、その突出他端がゲルボックスの背面
に向けて直角に折り曲げられており、前記取付基板をゲルボックスの背面に係脱可能に係
止することにより、中継配線の先端のランドが各弾性ワイヤの突出他端に当接されている
ことを特徴とする光ピックアップ。
【請求項７】
前記中継配線の先端のランドと各弾性ワイヤの突出他端とが半田付けされていることを
特徴とする請求項６に記載の光ピックアップ。
【請求項８】
前記各弾性ワイヤの他端がゲルボックスの背面よりも突出され、その突出他端に対向し
て前記中継配線の先端及び取付基板に嵌合孔が貫設されており、前記取付基板をゲルボッ
クスの背面に係脱可能に係止することにより、前記嵌合孔を各弾性ワイヤの突出他端に嵌
合させ、その各弾性ワイヤの突出他端と中継配線の先端のランドとが半田付けされている
ことを特徴とする請求項２に記載の光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、組立作業数や部品種類の削減によりコストダウンを図るも
のである。
【背景技術】
【０００２】
従来、光ピックアップの技術として特許文献１などに記載したものがあり、その一例を
図８〜図１０に基づいて説明すると、ガイドレール１に支持されてディスクＤの半径方向
に沿って往復移動ａ，ｂ可能な金属製スライドベース２上にアクチュエータ３を配置した
ものであって、該アクチュエータ３が、スライドベース２上の所定位置に固定した金属製
アクトベース４と、該アクトベース４上にビス６により固定した合成樹脂製ゲルボックス
７と、該ゲルボックス７に対向してアクトベース４の上方に配置した対物レンズＯＬ付き
レンズホルダ８と、該レンズホルダ８に取り付けた複数のコイル（フォーカスコイル、ト
ラッキングコイル及びチルトコイル）９に接近してアクトベース４から切り起こした支持
板４ａに固定したマグネット１０と、アクトベース４から切り起こされてレンズホルダ８
内に挿通されたヨーク４ｂとを有している。
【０００３】
前記各コイル９に接続したフレキシブルプリント配線からなるサブ配線１１を備えた一
対の接続基板１２がレンズホルダ８の両側面に固定され、フレキシブルプリント配線から
なる中継配線１３の略コ字状基端部１３ａがゲルボックス７の背面７ａから両側面７ｂに
かけて固定され、各サブ配線１１のランド１４に一端１５ａを半田付けＰした複数（この
例では３本ずつ）の弾性ワイヤ１５の他端１５ｂが中継配線１３の略コ字状基端部１３ａ
のランド１６に半田付けＰされ、スライドベース２上に制御基板１７が止着され、該制御
基板１７上のフレキシブルプリント配線からなるメイン配線１８のランド１９に中継配線
１３の先端のランド２０が半田付けＰされている。なお、ゲルボックス７内にゲルＧが充
填されており、そのゲルＧ中に各弾性ワイヤ１５が挿通されている。
【０００４】
情報読取手順を説明すると、ディスク装置に内蔵したマイコンからなる制御部の制御に
より、制御基板１７からメイン配線１８、中継配線１３、各弾性ワイヤ１５及び各サブ配
線１１を介して各コイル９に通電することによりレンズホルダ８を駆動し、レーザ光を対
物レンズＯＬを介してディスクＤに投射し、その反射光を受光してディスクＤに記録され
ている情報を読み取る。
【特許文献１】特開平６−１７６３９６号公報
【発明の開示】
【発明が解決しようとする課題】
【０００５】
上記従来の構成では、中継配線１３がアクチュエータ３側に設けられているため、その
中継配線１３の先端のランド２０をメイン配線１８のランド１９に半田付けＰ付けする必
要があり、それ以外に、各弾性ワイヤ１５の両端１５ａ，１５ｂを半田付けＰする必要が
あって、その半田付けＰの箇所が多いため、組立作業数が増加し、また、中継配線１３の
略コ字状基端部１３ａとサブ配線１１付き接続基板１２とが共通化されていないから、そ
の共通化されていない分だけ部品の種類が増加し、コストアップになっている。
【０００６】
本発明は、上記従来の欠点に鑑み、組立作業数や部品種類の削減によりコストダウンを
図るようにした光ピックアップを提供することを目的としている。
【課題を解決するための手段】
【０００７】
上記目的を達成するため、請求項１に記載の発明は、ディスクの半径方向に沿って往復
移動可能なスライドベース上にアクチュエータを配置したものであって、該アクチュエー
タが、前記スライドベース上の所定位置に固定したアクトベースと、該アクトベース上に
固定したゲルボックスと、該ゲルボックスに対向してアクトベースの上方に配置した対物
レンズ付きレンズホルダと、該レンズホルダに取り付けた複数のコイルに接近してアクト
ベース上に固定したマグネットとを有し、前記各コイルに接続したフレキシブルプリント
配線からなるサブ配線を備えた一対の接続基板が前記レンズホルダの両側面に固定され、
フレキシブルプリント配線からなる中継配線の略コ字状基端部がゲルボックスの背面から
両側面にかけて固定され、前記各サブ配線のランドに一端を半田付けした複数の弾性ワイ
ヤの他端が前記中継配線の略コ字状基端部のランドに半田付けされ、前記スライドベース
上に制御基板が止着され、該制御基板上のフレキシブルプリント配線からなるメイン配線
のランドに前記中継配線の先端のランドが半田付けされており、制御基板からメイン配線
、中継配線、各弾性ワイヤ及び各サブ配線を介して前記各コイルに通電することによりレ
ンズホルダを駆動し、レーザ光を対物レンズを介してディスクに投射し、その反射光を受
光してディスクに記録されている情報を読み取るようした光ピックアップにおいて、前記
各弾性ワイヤの他端と前記中継配線の略コ字状基端部のランドとの半田付けを解消し、前
記中継配線の略コ字状基端部に代えて前記各サブ配線付き接続基板と同一形状のものがゲ
ルボックスの両側面に固定され、その各ゲルボックス側接続基板のサブ配線に各弾性ワイ
ヤの他端が接着剤により固定され、前記中継配線の先端のランドとメイン配線のランドと
の半田付けを解消し、該中継配線が前記メイン配線に一体成形されると共に、その中継配
線の先端に取付基板が止着され、前記ゲルボックスの背面から所定間隔をおいてアクトベ
ースから起立板が切り起こされ、そのゲルボックスの背面上端にフックが一体突設されて
おり、前記取付基板の下端縁をゲルボックスの背面と起立板との間に挿入すると共に、該
取付基板の上端縁をフックに係合させることにより、その取付基板がゲルボックスの背面
に係脱可能に係止され、前記各弾性ワイヤの他端と中継配線の先端のランドとが半田付け
されていることを特徴としている。
【０００８】
請求項２に記載の発明は、ディスクの半径方向に沿って往復移動可能なスライドベース
上にアクチュエータを配置したものであって、該アクチュエータが、前記スライドベース
上の所定位置に固定したアクトベースと、該アクトベース上に固定したゲルボックスと、
該ゲルボックスに対向してアクトベースの上方に配置した対物レンズ付きレンズホルダと
、該レンズホルダに取り付けた複数のコイルに接近してアクトベース上に固定したマグネ
ットとを有し、前記各コイルに接続したフレキシブルプリント配線からなるサブ配線を備
えた一対の接続基板が前記レンズホルダの両側面に固定され、該各サブ配線のランドに一
端を半田付けした複数の弾性ワイヤの他端が前記ゲルボックスの両側面に固定され、前記
スライドベース上に止着した制御基板とゲルボックスとの間にフレキシブルプリント配線
からなる中継配線が架線されており、制御基板から中継配線、各弾性ワイヤ及び各サブ配
線を介して前記各コイルに通電することによりレンズホルダを駆動し、レーザ光を対物レ
ンズを介してディスクに投射し、その反射光を受光してディスクに記録されている情報を
読み取るようした光ピックアップにおいて、前記中継配線が前記制御基板上のフレキシブ
ルプリント配線からなるメイン配線に一体成形されると共に、該中継配線の先端に取付基
板が止着されており、該取付基板をゲルボックスの背面に係脱可能に係止し、前記各弾性
ワイヤの他端と中継配線の先端のランドとが半田付けされていることを特徴としている。
【０００９】
請求項３に記載の発明は、請求項２に記載の発明において、前記レンズホルダの両側面
に固定した一対のサブ配線付き接続基板と同一形状のものがゲルボックスの両側面に固定
され、その各ゲルボックス側接続基板のサブ配線に各弾性ワイヤの他端が接着剤により固
定されていることを特徴としている。
【００１０】
請求項４記載の発明は、請求項２または３に記載の発明において、前記ゲルボックスの
背面から所定間隔をおいてアクトベースから起立板が切り起こされ、そのゲルボックスの
背面上端にフックが一体突設されており、前記取付基板の下端縁をゲルボックスの背面と
起立板との間に挿入すると共に、該取付基板の上端縁をフックに係合させることにより、
その取付基板がゲルボックスの背面に係脱可能に係止されていることを特徴としている。
【００１１】
請求項５に記載の発明は、請求項２または３に記載の発明において、前記ゲルボックス
の背面に接近してアクトベースに係止孔が貫設されると共に、該係止孔に対向して取付基
板の下端縁に係止片が一体突設され、前記ゲルボックスの背面上端にフックが一体突設さ
れており、前記係止片を係止孔に嵌入させると共に、取付基板の上端縁をフックに係合さ
せることにより、その取付基板がゲルボックスの背面に係脱可能に係止されていることを
特徴としている。
【００１２】
請求項６に記載の発明は、ディスクの半径方向に沿って往復移動可能なスライドベース
上にアクチュエータを配置したものであって、該アクチュエータが、前記スライドベース
上の所定位置に固定したアクトベースと、該アクトベース上に固定したゲルボックスと、
該ゲルボックスに対向してアクトベースの上方に配置した対物レンズ付きレンズホルダと
、該レンズホルダに取り付けた複数のコイルに接近してアクトベース上に固定したマグネ
ットとを有し、前記各コイルに接続したフレキシブルプリント配線からなるサブ配線を備
えた一対の接続基板が前記レンズホルダの両側面に固定され、該各サブ配線のランドに一
端を半田付けした複数の弾性ワイヤの他端が前記ゲルボックスの両側面に固定され、前記
スライドベース上に止着した制御基板とゲルボックスとの間にフレキシブルプリント配線
からなる中継配線が架線されており、制御基板から中継配線、各弾性ワイヤ及び各サブ配
線を介して前記各コイルに通電することによりレンズホルダを駆動し、レーザ光を対物レ
ンズを介してディスクに投射し、その反射光を受光してディスクに記録されている情報を
読み取るようした光ピックアップにおいて、前記中継配線が前記制御基板上のフレキシブ
ルプリント配線からなるメイン配線に一体成形されると共に、該中継配線の先端に取付基
板が止着され、前記各弾性ワイヤの他端がゲルボックスの背面よりも突出され、その突出
他端がゲルボックスの背面に向けて直角に折り曲げられており、前記取付基板をゲルボッ
クスの背面に係脱可能に係止することにより、中継配線の先端のランドが各弾性ワイヤの
突出他端に当接されていることを特徴としている。
【００１３】
請求項７に記載の発明は、請求項６に記載の発明において、前記中継配線の先端のラン
ドと各弾性ワイヤの突出他端とが半田付けされていることを特徴としている。
【００１４】
請求項８に記載の発明は、請求項２に記載の発明において、前記各弾性ワイヤの他端が
ゲルボックスの背面よりも突出され、その突出他端に対向して前記中継配線の先端及び取
付基板に嵌合孔が貫設されており、前記取付基板をゲルボックスの背面に係脱可能に係止
することにより、前記嵌合孔を各弾性ワイヤの突出他端に嵌合させ、その各弾性ワイヤの
突出他端と中継配線の先端のランドとが半田付けされていることを特徴としている。
【発明の効果】
【００１５】
請求項１に記載の発明は第１の実施の形態（図１〜図４参照）に対応するものであって
、これによれば、中継配線がメイン配線に一体成形され、該中継配線の先端のランドと各
弾性ワイヤの他端とを半田付けするようになっており、それ以外に、各弾性ワイヤの一端
を半田付けするだけでよく、その半田付けの箇所が従来に比べて少ないので、その少なく
なっている分だけ組立作業数を削減してコストダウンを図ることができる。
【００１６】
また、各弾性ワイヤの両端とレンズホルダ及びゲルボックスとの間に介在される接続基
板として同一形状のものを用いて共通化しているので、その共通化した分だけ部品の種類
を削減してコストダウンを図ることができる。
【００１７】
更に、中継配線の先端に止着した取付基板の下端縁をゲルボックスの背面と起立板との
間に挿入すると共に、該取付基板の上端縁をゲルボックスのフックに係合させるだけで、
その取付基板をゲルボックスの背面に所望通りに簡単に係止することができ、これによっ
て、中継配線の先端のランドを各弾性ワイヤの他端に対向して位置決めされるから、その
各弾性ワイヤの他端と中継配線の先端のランドとの半田付けを円滑に行うことができる。
【００１８】
請求項２に記載の発明は基本形態に対応するものであって、これによれば、中継配線が
メイン配線に一体成形され、該中継配線の先端のランドと各弾性ワイヤの他端とを半田付
けするようになっており、それ以外に、各弾性ワイヤの一端を半田付けするだけでよく、
その半田付けの箇所が従来に比べて少ないので、その少なくなっている分だけ組立作業数
を削減してコストダウンを図ることができる。
【００１９】
請求項３に記載の発明によれば、各弾性ワイヤの両端とレンズホルダ及びゲルボックス
との間に介在される接続基板として同一形状のものを用いて共通化しているので、その共
通化した分だけ部品の種類を削減してコストダウンを図ることができる。
【００２０】
請求項４に記載の発明によれば、中継配線の先端に止着した取付基板の下端縁をゲルボ
ックスの背面と起立板との間に挿入すると共に、該取付基板の上端縁をゲルボックスのフ
ックに係合させるだけで、その取付基板をゲルボックスの背面に所望通りに簡単に係止す
ることができ、これによって、中継配線の先端のランドを各弾性ワイヤの他端に対向して
位置決めされるから、その各弾性ワイヤの他端と中継配線の先端のランドとの半田付けを
円滑に行うことができる。
【００２１】
請求項５に記載の発明は第２の実施の形態（図５参照）に対応するものであって、これ
によれば、中継配線の先端に止着した取付基板の下端縁に一体突設した係止片をアクトベ
ースの係止孔に嵌入させると共に、該取付基板の上端縁をゲルボックスのフックに係合さ
せるだけで、その取付基板をゲルボックスの背面に所望通りに簡単に係止することができ
、これによって、請求項４に記載の発明と同様に、各弾性ワイヤの他端と中継配線の先端
のランドとの半田付けを円滑に行うことができる。
【００２２】
請求項６に記載の発明は第３の実施の形態（図６参照）に対応するものであって、これ
によれば、各弾性ワイヤの他端がゲルボックスの背面よりも突出され、その突出他端がゲ
ルボックスの背面に向けて直角に折り曲げられており、中継配線の先端に止着した取付基
板をゲルボックスの背面に係止するだけで、そのゲルボックスと取付基板とで各弾性ワイ
ヤの突出他端が挟持されるから、その各弾性ワイヤの突出他端に中継配線の先端のランド
を当接させて通電状態にすることができる。
【００２３】
請求項７に記載の発明は第３の実施の形態（図６参照）の変形例に対応するものであっ
て、これによれば、中継配線の先端のランドと各弾性ワイヤの突出他端とを半田付けで一
層確実に通電状態にすることができると共に、その各弾性ワイヤの突出他端をゲルボック
スに強固に固定することができる。
【００２４】
請求項８に記載の発明は第４、第５の実施の形態（図７参照）に対応するものであって
、これによれば、取付基板をゲルボックスの背面に係止することにより、中継配線の先端
及び取付基板の嵌合孔を各弾性ワイヤの突出他端に嵌合させ、半田付けするだけで、各弾
性ワイヤの突出他端と中継配線の先端のランドとを確実に通電状態にすることができると
共に、その各弾性ワイヤの突出他端を取付基板を介してゲルボックスに強固に固定するこ
とができる。
【発明を実施するための最良の形態】
【００２５】
図１〜図４は本発明の第１の実施の形態である光ピックアップを示すものであって、レ
ンズホルダ８の両側面及びゲルボックス７の両側面７ｂに同一形状のサブ配線１１付き接
続基板１２が固定され、各弾性ワイヤ１５の一端１５ａが各レンズホルダ側接続基板１２
のサブ配線１１のランド１４に半田付けＰされると共に、該各弾性ワイヤ１５の他端１５
ｂが各ゲルボックス側接続基板１２のサブ配線１１に接着剤（例えば紫外線硬化性接着剤
など）２２により固定され、中継配線１３がメイン配線１８に一体形成されると共に、そ
の中継配線１３の先端に取付基板２３が止着され、ゲルボックス７の背面７ａから所定間
隔αをおいてアクトベース４から起立板２４が切り起こされ、そのゲルボックス７の背面
７ａの上端にフック２５が一体突設されており、取付基板２３の下端縁をゲルボックス７
の背面７ａと起立板２４との間に挿入すると共に、該取付基板２３の上端縁をフック２５
に係合させることにより、その取付基板２３がゲルボックス７の背面７ａに係脱可能に係
止され、各弾性ワイヤ１５の他端１５ｂと中継配線１３の先端のランド２０とが半田付け
Ｐされている。上記以外の構成は図８〜図１０に示す構成とほぼ同じであるから、同一部
分に同一符号を付してその説明を省略する。
【００２６】
組立手順を説明すると、図４（ａ）に示すように、各弾性ワイヤ１５の一端１５ａを各
レンズホルダ側接続基板１２のサブ配線１１のランド１４に半田付けＰした後、該各弾性
ワイヤ１５の他端１５ｂを各ゲルボックス側接続基板１２に接近させる。次に、図４（ｂ
）に示すように、各弾性ワイヤ１５の他端１５ｂを各ゲルボックス側接続基板１２のサブ
配線１１に接着剤２２により固定し、これによって、各弾性ワイヤ１５の他端１５ｂをサ
ブ配線１１のランド１４に当接させる。その後、図４（ｃ）に示すように、中継配線１３
の先端に止着した取付基板２３の下端縁をゲルボックス７の背面７ａと起立板２４との間
に挿入すると共に、該取付基板２３の上端縁をフック２５に係合させることにより、その
取付基板２３をゲルボックス７の背面７ａに係止する。続けて、各弾性ワイヤ１５の他端
１５ｂと中継配線１３の先端のランド２０（及びゲルボックス側接続基板１２のサブ配線
１１のランド１４）とを半田付けＰする。
【００２７】
上記構成によれば、中継配線１３がメイン配線１８に一体成形され、該中継配線１３の
先端のランド２０と各弾性ワイヤ１５の他端１５ｂとを半田付けＰするようになっており
、それ以外に、各弾性ワイヤ１５の一端１５ａを半田付けＰするだけでよく、その半田付
けＰの箇所が２箇所で従来の３箇所（図８参照）に比べて少ないので、その少なくなって
いる分だけ組立作業数を削減してコストダウンを図ることができる。
【００２８】
また、各弾性ワイヤ１５の両端１５ａ，１５ｂとレンズホルダ８及びゲルボックス７と
の間に介在される接続基板１２として同一形状のものを用いて共通化しているので、その
共通化した分だけ部品の種類を削減してコストダウンを図ることができる。
【００２９】
更に、中継配線１３の先端に止着した取付基板２３の下端縁をゲルボックス７の背面７
ａと起立板２４との間に挿入すると共に、該取付基板２３の上端縁をゲルボックス７のフ
ック２５に係合させるだけで、その取付基板２３をゲルボックス７の背面７ａに所望通り
に簡単に係止することができ、これによって、中継配線１３の先端のランド２０をを各弾
性ワイヤ１５の他端１５ｂに対向して位置決めされるから、その各弾性ワイヤ１５の他端
１５ｂと中継配線１３の先端のランド２０との半田付けＰを円滑に行うことができる。
【００３０】
上記の実施の形態では、取付基板２３をゲルボックス７の半田付けＰに係止するために
、アクトベース４から切り起こした起立板２４とゲルボックス７の背面７ａとの間に取付
基板２３の下端縁を挿入したが、これに限定されるわけではなく、図５に示すように、ゲ
ルボックス７の背面７ａに接近してアクトベース４に１つまたは２つ以上（この例では２
つ）の係止孔２７が貫設されると共に、該係止孔２７に対向して取付基板２３の下端縁に
係止片２８が一体突設され、その係止片２８を係止孔２７に嵌入させると共に、取付基板
２３の上端縁をフック２５に係合させることにより、その取付基板２３をゲルボックス７
の背面７ａに係脱可能に係止するようにしてもよい。上記以外の構成は図１〜図４に示す
第１の実施の形態とほぼ同じであるから、同一部分に同一符号を付してその説明を省略す
る（第２の実施の形態）。
【００３１】
上記構成によれば、取付基板２３をゲルボックス７の背面７ａに所望通りに簡単に係止
することができ、第１の実施の形態と同様に、各弾性ワイヤ１５の他端１５ｂと中継配線
１３の先端のランド２０との半田付けＰを円滑に行うことができる（図４参照）。
【００３２】
図６は本発明の第３の実施の形態である光ピックアップの要部を示すものであって、各
弾性ワイヤ１５の他端１５ｂがゲルボックス７の背面７ａよりも突出され、その突出他端
１５ｂがゲルボックス７の背面７ａに向けて直角に折り曲げられている。また、各弾性ワ
イヤ１５の他端１５ｂが接着剤２２によりゲルボックス７の両側面７ｂに直接固定されて
いる。上記以外の構成は図１〜図５に示す第１、第２の実施の形態とほぼ同じであるから
、同一部分に同一符号を付してその説明を省略する。
【００３３】
組立手順を説明すると、図６（ａ）に示すように、各弾性ワイヤ１５の一端１５ａを各
レンズホルダ側接続基板１２のサブ配線１１のランド１４に半田付けＰした後、該各弾性
ワイヤ１５の他端１５ｂを各ゲルボックス側接続基板１２に接近させる。次に、図６（ｂ
）に示すように、各弾性ワイヤ１５の他端１５ｂをゲルボックス７の背面７ａよりも突出
させた状態で該各弾性ワイヤ１５の他端１５ｂをゲルボックス７の両側面７ｂに接着剤２
２により固定する。その後、図６（ｃ）に示すように、各弾性ワイヤ１５の突出他端１５
ｂをゲルボックス７の背面７ａに向けて直角に折り曲げ、取付基板２３をゲルボックス７
の背面７ａに係止することにより、中継配線１３の先端のランド２０を各弾性ワイヤ１５
の突出他端１５ｂに当接させる。
【００３４】
上記構成によれば、ゲルボックス７と取付基板２３とで各弾性ワイヤ１５の突出他端１
５ｂが挟持されるから、その各弾性ワイヤ１５の突出他端１５ｂに中継配線１３のの先端
のランド２０を確実に当接させて通電状態にすることができる。また、各ゲルボックス側
接続基板１２（図１参照）が省略されているので、その省略した分だけ部品点数が削減さ
れて、コストダウンを図ることができる
図６に示す第３の実施の形態では、中継配線１３の先端のランド２０を各弾性ワイヤ１
５の突出他端１５ｂに当接させたが、これに加えて、図６（ｃ）の拡大図に仮想線で示す
ように、中継配線１３の先端のランド２０と各弾性ワイヤ１５の突出他端１５ｂとを半田
付けＰしてもよく。これによって、中継配線１３の先端のランド２０と各弾性ワイヤ１５
の突出他端１５ｂとを半田付けＰで一層確実に通電状態にすることができると共に、その
各弾性ワイヤ１５の突出他端１５ｂをゲルボックス７に強固に固定することができる。
【００３５】
図７（ａ）は本発明の第４の実施の形態である光ピックアップの要部を示すものであっ
て、各弾性ワイヤ１５の他端１５ｂがゲルボックス７の背面７ａよりも突出され、その突
出他端１５ｂに対向して中継配線１３の先端及び取付基板２３に嵌合孔３０が貫設されて
おり、取付基板２３をゲルボックス７の背面７ａに係脱可能に係止することにより、嵌合
孔３０を各弾性ワイヤ１５の突出他端１５ｂに嵌合させ、その各弾性ワイヤ１５の突出他
端１５ｂと中継配線１３の先端のランド２０とが半田付けＰされている。上記以外の構成
は図１〜図６に示す第１〜第３の実施の形態とほぼ同じであるから、同一部分に同一符号
を付してその説明を省略する。
【００３６】
上記構成によれば、取付基板２３をゲルボックス７の背面７ａに係止することにより、
中継配線１３の先端及び取付基板２３の嵌合孔３０を各弾性ワイヤ１５の突出他端１５ｂ
に嵌合させ、半田付けＰするだけで、各弾性ワイヤ１５の突出他端１５ｂと中継配線１３
の先端のランド２０とを確実に通電状態にすることができると共に、その各弾性ワイヤ１
５の突出他端１５ｂを取付基板２３を介してゲルボックス７に強固に固定することができ
る。
【００３７】
図７（ａ）に示す第４の実施の形態では、中継配線１３の先端を内向きにした状態で取
付基板２３をゲルボックス７の背面７ａに係止したが，その逆に、図７（ｂ）に示すよう
に、中継配線１３の先端を外向きにした状態で取付基板２３をゲルボックス７の背面７ａ
に係止するようにしてもよく、これによって、第４の実施の形態とほぼ同じ効果を得るこ
とができる（第５の実施の形態）。
【図面の簡単な説明】
【００３８】
【図１】（ａ）は本発明の第１の実施の形態である光ピックアップの一部切欠き平面図、（ｂ）は同側面図、（ｃ）はＡ−Ａ矢視図である。
【図２】同斜視図である。
【図３】同要部の分解斜視図である。
【図４】（ａ）〜（ｃ）は組立手順を示す要部の斜視図である。
【図５】本発明の第２の実施の形態である光ピックアップの斜視図である。
【図６】（ａ）〜（ｃ）は本発明の第３の実施の形態である光ピックアップにおける組立手順を示す要部の斜視図である。
【図７】（ａ）は本発明の第４の実施の形態である光ピックアップの要部の水平断面図、（ｂ）は本発明の第５の実施の形態である光ピックアップの要部の水平断面図である。
【図８】（ａ）は従来例の一部切欠き平面図、（ｂ）は同側面図、（ｃ）はＢ−Ｂ矢視図である。
【図９】同斜視図である。
【図１０】同要部の分解斜視図である。
【符号の説明】
【００３９】
２          スライドベース
３          アクチュエータ
４          アクトベース
７          ゲルボックス
８          レンズホルダ
９          コイル
１０        マグネット
１１        サブ配線
１２        接続基板
１３        中継配線
１５        弾性ワイヤ
１５ａ      弾性ワイヤの一端
１５ｂ      弾性ワイヤの他端
１７        制御基板
１８        メイン配線
１４，２０  ランド
２２        接着剤
２３        取付基板
２４        起立板
２５        フック
２７        係止孔
２８        係止片
３０        嵌合孔
Ｄ          ディスク
ＯＬ        対物レンズ
Ｐ          半田付け
【図１】
2007213693.tif 000003
【図２】
2007213693.tif 000004
【図３】
2007213693.tif 000005
【図４】
2007213693.tif 000006
【図５】
2007213693.tif 000007
【図６】
2007213693.tif 000008
【図７】
2007213693.tif 000009
【図８】
2007213693.tif 000010
【図９】
2007213693.tif 000011
【図１０】
2007213693.tif 000012